(57)【要約】【課題】紙幣収納のためのスペースを新たに確保することなく、個別に紙幣を収納できる紙幣収納装置を提供する。【解決手段】紙幣収納装置１はハウジング１０に内蔵され、紙幣収納部２０を有し、ハウジング１０の外部から紙幣が投入される紙幣投入口１１と、投入された紙幣を搬送する第１搬送路１２と、第１搬送路１２の方向Ａと所定の第１角度を成して第１搬送路１２を遮って、第１搬送路１２を搬送されてきた紙幣の搬送方向を変更する第１搬送方向変更壁１３と、第１搬送方向変更壁１３によって変更された方向Ｂに紙幣を搬送する第２搬送路１４と、第２搬送路１４の方向Ｂと所定の第２角度を成して第２搬送路１４を遮って、第２搬送路１４を搬送されてきた紙幣の搬送方向を第１搬送路１２内での紙幣の搬送方向Ａに対して９０°よりも大きく変更する第２搬送方向変更壁１５とを備え、第２搬送方向変更壁１５によって変更された紙幣の搬送方向上に紙幣収納部２０を配置した。【選択図】図１
2005267132.tif 000002
【特許請求の範囲】
【請求項１】
ハウジングに内蔵され、紙幣を収納する紙幣収納部を有する紙幣収納装置であって、
前記ハウジングの外部から紙幣が当該紙幣の長手方向に沿って投入される紙幣投入口と、
前記紙幣投入口に投入された紙幣を搬送する第１搬送路と、
前記第１搬送路が延びる方向と所定の第１角度を成して前記第１搬送路を遮って、前記第１搬送路を搬送されてきた紙幣の搬送方向を変更する第１搬送方向変更壁と、
前記第１搬送方向変更壁によって変更された方向に紙幣を搬送する第２搬送路と、
前記第２搬送路が延びる方向と所定の第２角度を成して前記第２搬送路を遮って、前記第２搬送路を搬送されてきた紙幣の搬送方向を前記第１搬送路内での紙幣の搬送方向に対して９０°よりも大きく変更する第２搬送方向変更壁とを備え、
前記第２搬送方向変更壁によって変更された紙幣の搬送方向上に前記紙幣収納部が配置されたことを特徴とする紙幣収納装置。
【請求項２】
前記所定の第１角度と所定の第２角度とは、前記第２搬送方向変更壁によって変更された搬送方向が前記第１搬送路内での紙幣の搬送方向と逆になるように設定されたことを特徴とする請求項１に記載の紙幣収納装置。
【請求項３】
遊技媒体を貸し出す遊技媒体貸出機において、請求項１または２に記載の紙幣収納装置を備え、前記ハウジングが遊技媒体貸出機本体のハウジングであることを特徴とする遊技媒体貸出機。
【発明の詳細な説明】
【技術分野】
【０００１】
本発明は、ハウジングに内蔵され、紙幣を収納する紙幣収納部を有する紙幣収納装置および当該装置を備えた遊技媒体貸出機に関する。
【背景技術】
【０００２】
従来の紙幣収納装置１４１は、例えば図４に示すように、スロットマシンやパチンコ機等の遊技機が配設された遊技機島１４０において、各遊技機１４２に隣接して配置された遊技媒体貸出機１４３に装着されたものがある。このような紙幣収納装置１４１は、紙幣を搬送するための搬送路１４１ａが遊技機島１４０の略全長にわたって延設されている。この搬送路１４１ａは、遊技機島１４０の端部に配設されたストック部１４１ｂまで延びており、紙幣投入口（図示せず）から矢印Ｍ方向に投入された紙幣は、搬送路１４１ａを通して、矢印Ｎ方向にストック部１４１ｂまで運ばれてストック部１４１ｂに収納されていた。しかしながら、このような紙幣収納装置１４１は、全ての遊技媒体貸出機１４３に投入された全ての紙幣を上記のような搬送路１４１ａを通してストック部１４１ｂまで搬送しているので、紙幣収納装置１４１の構成が大掛かりになる上にコストが高くなるという問題点があった。
【０００３】
また、紙幣搬送路１４１ａ内で紙幣が詰まった場合には、この詰まった紙幣を取り除くまでの間、同じ遊技機島１４０に設置された遊技媒体貸出機１４３が使用できなくなるという問題点があった。
【０００４】
これらの問題点を解決するために、遊技機島の端部の紙幣ストック部と各遊技媒体貸出機からストック部まで紙幣を搬送するための搬送路とを設けずに、各遊技媒体貸出機ごとに紙幣を収納するようにした紙幣収納装置が提案されている（例えば、特許文献１）。
【０００５】
すなわち、図５に示すように、紙幣収納装置は、遊技媒体貸出機１５０の背面外側に個別の紙幣収納ストック部１５１を設けておき、遊技媒体貸出機１５０ごとに紙幣収納ストック部１５１に紙幣を収納するようにしたものである。
【０００６】
【特許文献１】特開２００２−９２４号公報
【発明の開示】
【発明が解決しようとする課題】
【０００７】
しかしながら、このような従来の技術では、遊技媒体貸出機を遊技機島に設置する際に、遊技媒体貸出機の背面外側に設けた紙幣ストック部の占めるスペースが必要になるために、遊技機島によってはスペースを確保できずに遊技媒体貸出機を設置できないという問題点があった。
【０００８】
このような場合に遊技媒体貸出機を設置するためには、紙幣ストック部を収めるスペースを作り出すために遊技機島の幅を拡張しなければならず、工事が大掛かりになる上に、コストも掛かるという新たな問題点があった。
【０００９】
本発明は、このような従来の技術が有する問題点に着目してなされたもので、紙幣収納のためのスペースを新たに確保することなく、個別に紙幣を収納できる紙幣収納装置を提供することを目的としている。
【課題を解決するための手段】
【００１０】
かかる目的を達成するための本発明の要旨とするところは、次の各項の発明に存する。
［１］ハウジング（１０）に内蔵され、紙幣を収納する紙幣収納部（２０）を有する紙幣収納装置（１）であって、
前記ハウジング（１０）の外部から紙幣が当該紙幣の長手方向に沿って投入される紙幣投入口（１１）と、
前記紙幣投入口（１１）に投入された紙幣を搬送する第１搬送路（１２）と、
前記第１搬送路（１２）が延びる方向（Ａ）と所定の第１角度を成して前記第１搬送路（１２）を遮って、前記第１搬送路（１２）を搬送されてきた紙幣の搬送方向を変更する第１搬送方向変更壁（１３）と、
前記第１搬送方向変更壁（１３）によって変更された方向（Ｂ）に紙幣を搬送する第２搬送路（１４）と、
前記第２搬送路（１４）が延びる方向（Ｂ）と所定の第２角度を成して前記第２搬送路（１４）を遮って、前記第２搬送路（１４）を搬送されてきた紙幣の搬送方向を前記第１搬送路（１２）内での紙幣の搬送方向（Ａ）に対して９０°よりも大きく変更する第２搬送方向変更壁（１５）とを備え、
前記第２搬送方向変更壁（１５）によって変更された紙幣の搬送方向上に前記紙幣収納部（２０）が配置されたことを特徴とする紙幣収納装置（１）。
【００１１】
［２］前記所定の第１角度と所定の第２角度とは、前記第２搬送方向変更壁（１５）によって変更された搬送方向（Ｃ）が前記第１搬送路（１２）内での紙幣の搬送方向（Ａ）と逆になるように設定されたことを特徴とする項［１］に記載の紙幣収納装置（１）。
【００１２】
［３］遊技媒体を貸し出す遊技媒体貸出機において、項［１］または［２］に記載の紙幣収納装置（１）を備え、前記ハウジング（１０）が遊技媒体貸出機本体のハウジングであることを特徴とする遊技媒体貸出機。
【００１３】
前記本発明は次のように作用する。  
項［１］に記載の紙幣収納装置（１）によれば、紙幣投入口（１１）から紙幣が長手方向に沿って投入されると、紙幣判断部（３０）が紙幣の真贋とともに紙幣額を判断する。紙幣が汚れていたり、皺が寄り過ぎたりして紙幣を本物であると判断できないときは紙幣投入口（１１）から排出される。紙幣が本物である場合には、紙幣は搬送ローラ（４１）により、そのまま第１搬送路（１２）内を搬送される。
【００１４】
紙幣は、前記第１搬送路（１２）の前方を遮っている第１搬送方向変更壁（１３）に当たる。第１搬送方向変更壁（１３）に初めに当たる部分は、紙幣の先端上部の角部分であり、紙幣がさらに搬送され続けるにしたがって先端部が所定の方向（Ｂ）に曲げられる。この所定の方向（Ｂ）は、前記第１搬送方向変更壁（１３）が前記第１搬送路（１２）の延びる方向（Ａ）となす所定の第１角度によって決定される。
【００１５】
前記第１搬送方向変更壁（１３）によって搬送方向を変更された紙幣は、第２搬送路（１４）内を搬送される。第２搬送路（１４）の搬送方向の前方には、前記第２搬送路（１４）が延びる方向（Ｂ）と所定の第２角度を成して前記第２搬送路（１４）を遮る第２搬送方向変更壁（１５）が設けられている。前記第２搬送路（１４）を搬送されてきた紙幣は、初めに角部分が第２搬送方向変更壁（１５）に当たる。紙幣がさらに搬送され続けるにしたがって、先端部から進む方向が変更される。
【００１６】
変更後の搬送方向は、前記第１搬送路（１２）内での紙幣の搬送方向（Ａ）に対して９０°よりも大きく変更した方向である。したがって、第２搬送方向変更壁（１５）によって変更された後の紙幣の搬送方向は、紙幣収納装置（１）を内蔵したハウジング（１０）の奥行き方向にはない。
【００１７】
前記第２搬送方向変更壁（１５）によって変更された紙幣は、当該紙幣の搬送方向上に配置された前記紙幣収納部（２０）に収納される。
【００１８】
以上のように、紙幣投入口（１１）に投入された紙幣は、ハウジング（１０）内で搬送方向を変更されながらハウジング（１０）に内蔵された紙幣収納部（２０）に収納されるので、紙幣収納装置（１）は、紙幣収納のためのスペースを新たに確保することなく、個別に紙幣を収納できる。
【００１９】
項［２］に記載の紙幣収納装置（１）においては、前記所定の第１角度と所定の第２角度とは、前記第２搬送方向変更壁（１５）によって変更された紙幣の搬送方向（Ｃ）が前記第１搬送路（１２）内での紙幣の搬送方向（Ａ）と逆になるように設定されている。これにより、紙幣収納部（２０）はハウジング（１０）内で最もスペースを有効に利用できる位置に配設されることとなる。
【００２０】
項［３］に記載の遊技媒体貸出機によれば、上記の項［１］または［２］に記載の紙幣収納装置（１）を遊技媒体貸出機本体のハウジングに内蔵しているので、遊技機島に設置する際に、紙幣収納装置のための特別のスペースを遊技機島内に確保する必要がない。これにより、ほとんどの遊技機島に設置できる遊技媒体貸出機とすることができる。
【発明の効果】
【００２１】
本発明にかかる紙幣収納装置によれば、紙幣投入口から投入された紙幣は、ハウジング内で搬送方向変更壁によって搬送方向を変更されながら、ハウジング内に配設された紙幣収納部に収納するようにしたので、紙幣収納のためのスペースを新たに確保することなく、個別に紙幣を収納することができる。
【発明を実施するための最良の形態】
【００２２】
以下、図面に基づき本発明の好適な一実施の形態を説明する。  
各図は本発明の一実施の形態を示している。  
図１に示すように、本発明の一実施の形態にかかる紙幣収納装置１は、ハウジング１０に内蔵されており、紙幣を収納する紙幣収納部２０もハウジング１０に内蔵されている。
【００２３】
ハウジング１０の正面の上部には、紙幣を立てて、かつ、当該紙幣の長手方向に沿うように投入するための紙幣投入口１１が配設されている。紙幣投入口１１よりも内側には紙幣の真贋を判断するとともに紙幣額を判断する紙幣判断部３０が配設されている。紙幣投入口１１からこの紙幣判断部３０を貫通して、紙幣を真直ぐ水平に搬送するための第１搬送路１２がハウジング１０の背面に向かって矢印Ａ方向に延設されている。第１搬送路１２の出口の手前には、投入された紙幣を搬送するための搬送ローラ４１が第１搬送路１２に臨んで設けられている。この搬送ローラ４１は、第１搬送路１２の下方で、かつ、後述する紙幣収納部２０の上方に配置したモータ５２によって駆動される。
【００２４】
第１搬送路１２を矢印Ａ方向に行き当たった所には、第１搬送路１２を搬送されてきた紙幣の搬送方向を変更するための第１搬送方向変更壁１３が第１搬送路１２を遮るように設けられている。図２に示すように、第１搬送方向変更壁１３の上部は、断面がＵ字状に形成されている。
【００２５】
この第１搬送方向変更壁１３は、第１搬送路１２内での紙幣の搬送方向Ａに対して所定の第１角度を成している。この所定の第１角度は、図示した例では、４５°である。これにより、第１搬送路１２を搬送されてきた紙幣の搬送方向Ａは９０°変えられて、紙幣は矢印Ｂ方向に搬送される。上記のように本実施の形態では矢印Ａ方向が水平方向としたので、矢印Ｂ方向は鉛直下向きの方向となる。
【００２６】
第１搬送路１２を搬送されてきた紙幣は、初めに紙幣の先端上部の角から第１搬送方向変更壁１３に当たり、さらに搬送が続くと、Ｕ字状の壁面に沿って先端上部が下方に向けて曲げられて、第２搬送路１４内に進入する。第２搬送路１４は下方に向かって延設されている。この第２搬送路１４に臨んで搬送ローラ４２が設けられており、図１に破線で示したように、進入してきた紙幣を確実に下方（矢印Ｂ）に搬送している。搬送ローラ４２は、紙幣判断部３０の下方に配置されたモータ５２によって駆動される。
【００２７】
図２は、図１の紙幣収納装置１における線Ｄ−Ｄについての断面図である。第１搬送路１２を搬送されてきた紙幣が第１搬送方向変更壁１３に当たって、Ｕ字状の壁面に沿って先端上部の角から下方に曲がりながら第２搬送路１４に進入している。
【００２８】
第２搬送路１４を下方に行き当たった所には、第２搬送路１４を搬送されてきた紙幣の搬送方向を変更するための第２搬送方向変更壁１５が第２搬送路１４を遮るように設けられている。第２搬送方向変更壁１５の下部は、断面がＵ字状に形成されている。
【００２９】
この第２搬送方向変更壁１５は、第２搬送路１４内での紙幣の搬送方向Ｂに対して所定の第２角度を成している。この所定の第２角度は、図示した例では、４５°である。これにより、第２搬送路１４を搬送されてきた紙幣の搬送方向Ｂは９０°変えられて、紙幣は矢印Ｃ方向に搬送される。したがって、矢印Ｃ方向は、第１搬送路１２内での紙幣の搬送方向Ａに対して１８０°変更されている。すなわち、第２搬送方向変更壁１５によって変更された後の搬送方向Ｃは、第１搬送路１２内での紙幣の搬送方向Ａとは逆になっている。
【００３０】
第２搬送方向変更壁１５から搬送方向Ｃに向かった位置には、搬送されてきた紙幣を収納するための紙幣収納部２０が設けられている。紙幣収納部２０は搬送されてきた紙幣が搬送方向Ｃのままに進入して収納できる姿勢に設けられている。紙幣収納部２０の入り口には紙幣を確実に取り込むための取込みローラ４３が設けられている。取込みローラ４３は、上記の搬送ローラ４１と同様にモータ５２によって駆動される。
【００３１】
次に作用を説明する。  
図３は、紙幣収納装置における紙幣の流れを簡略に説明している。
【００３２】
紙幣投入口１１から立てた紙幣を長手方向に沿って投入すると、紙幣判断部３０が紙幣の真贋とともに紙幣額を判断する。紙幣判断部３０では、紙幣が汚れていたり、皺が寄り過ぎたりして紙幣を本物であると判断できないときは、不図示のローラが回転して紙幣を紙幣投入口１１から排出する。紙幣が本物である場合には、搬送ローラ４１により、そのまま第１搬送路１２内を水平方向（矢印Ａ方向）に搬送される。
【００３３】
第１搬送路１２内を進んだ紙幣は、第１搬送路１２の前方を遮っている第１搬送方向変更壁１３に当たる。第１搬送方向変更壁１３に最初に当たる紙幣の部分は、搬送方向の先端上部の角部分であり、紙幣がさらに搬送され続けるにしたがって先端部が第１搬送方向変更壁１３のＵ字状の上部壁面に沿って、滑らかに且つ確実に下方（矢印Ｂ方向）に曲げられる。この所定の方向Ｂは、前記第１搬送方向変更壁１３が前記第１搬送路１２の延びる方向Ａとなす所定の第１角度によって決定される。この第１角度は上記のように設定されているので、矢印Ｂ方向は矢印Ａ方向に対して下方に９０°の方向になっている。したがって、矢印Ｂ方向は鉛直下方を向いている。
【００３４】
第１搬送方向変更壁１３によって搬送方向を変更された紙幣は、第２搬送路１４内を鉛直下方に搬送され、第２搬送路１４の延びる方向（矢印Ｂ方向）の前方を遮っている第２搬送方向変更壁１５に当たる。第２搬送方向変更壁１５に最初に当たる紙幣の部分は、図１および図３の紙面上、搬送方向の先端左の角部分であり、紙幣がさらに搬送ローラ４２によって搬送され続けるにしたがって、先端部が第２搬送方向変更壁１５のＵ字状の下部壁面に沿って、滑らかに且つ確実に所定の方向（矢印Ｃ方向）に曲げられる。
【００３５】
この所定の方向は、第２搬送方向変更壁１５が第２搬送路１４の延びる矢印Ｂ方向となす所定の第２角度によって決定される。変更後の搬送方向は、第１搬送路１２内での紙幣の搬送方向Ａに対して９０°よりも大きく変更した方向である。したがって、第２搬送方向変更壁１５によって変更された後の紙幣の搬送方向は、紙幣収納装置１を内蔵したハウジング１０の奥行き方向にはない。
【００３６】
具体的には、第２角度は上記のように設定されているので、矢印Ｃ方向は矢印Ｂ方向に対して９０°の方向になっている。したがって、矢印Ｃ方向は矢印Ａ方向とは逆方向になっている。
【００３７】
第２搬送方向変更壁１５によって変更された紙幣は、当該紙幣の搬送方向Ｃ上に配置された紙幣収納部２０に収納される。紙幣の収納は紙幣収納部２０の入り口に配置された取込みローラ４３によって確実に紙幣収納部２０に取り込まれる。上記の例では、紙幣収納部２０は紙幣判断部３０の直下に配置されるので、ハウジング１０内で最もスペースを有効に利用した位置に配置されることとなる。
【００３８】
以上のように、紙幣投入口１１に投入された紙幣は、ハウジング１０内で搬送方向を変更されながらハウジング１０に内蔵された紙幣収納部２０に収納されるので、紙幣収納装置１は、紙幣収納のためのスペースを新たに確保することなく、個別に紙幣を収納できる。
【００３９】
本実施の形態にかかる紙幣収納装置１では、紙幣投入口１１から水平方向にハウジング１０内に取り込んだ紙幣の搬送方向を２回変更して、搬送方向を１８０°変えた後にハウジング１０内に設けた紙幣収納部２０に収納するようにしたので、スペースを新たに確保することなく、ハウジング１０内の既存のスペースを有効に利用した位置に紙幣収納部２０を配設することができる。これにより、個別に紙幣を収納することができる。
【００４０】
上記実施の形態においては、ハウジングに内蔵された紙幣収納装置について説明したが、ハウジングを遊技媒体貸出機本体のものとしてもよい。これにより、上記の紙幣収納装置１が遊技媒体貸出機本体のハウジングに内蔵されるので、遊技媒体貸出機を遊技機島に設置する際に、紙幣収納装置のための特別のスペースを遊技機島内に確保する必要がなくなり、もって、ほとんどの遊技機島に設置できる遊技媒体貸出機とすることができる。
【００４１】
なお、紙幣収納装置は、遊技媒体貸出機の他にも切符等の発券機、その他の紙幣を扱う機械装置のハウジングに内蔵してもよい。
【００４２】
紙幣の投入は、紙幣を立てて、かつ、当該紙幣の長手方向に沿うようにした投入に限らず、紙幣投入口１１の延びる方向を変えて、紙幣の印刷面を略水平にして投入できるようにしてもよいし、水平と鉛直との間の任意の傾斜角度を持たせて投入するようにしてもよい。
【図面の簡単な説明】
【００４３】
【図１】本発明の一実施の形態に係る紙幣収納装置を示す側面図である。
【図２】図１の紙幣収納装置における線Ｄ−Ｄについての断面図である。
【図３】本発明の一実施の形態に係る紙幣収納装置における紙幣の流れを説明する説明図である。
【図４】従来例を示す平面図である。
【図５】他の従来例を示す側面図である。
【符号の説明】
【００４４】
１…紙幣収納装置
１０…ハウジング
１１…紙幣投入口
１２…第１搬送路
１３…第１搬送方向変更壁
１４…第２搬送路
１５…第２搬送方向変更壁
２０…紙幣収納部
３０…紙幣判断部
４１…搬送ローラ
４２…搬送ローラ
４３…取込みローラ
５２…モータ
【図１】
2005267132.tif 000003
【図２】
2005267132.tif 000004
【図３】
2005267132.tif 000005
【図４】
2005267132.tif 000006
【図５】
2005267132.tif 000007